(57)【要約】【課題】持ち運びの際に嵩張ることがないとともに、分解及び組み立て自在にすることにより使用者において組み立てを可能にしたフレームを提供すること。【解決手段】略四角形状に枠組みして形成するとともに、その内周側全域に挿入溝２０１が形成された枠体２と、周縁部が前記挿入溝２０１内に挿入される配置で前記枠体２内に支持される、筒状に変形自在又は折り畳み自在とした透明体３と、該透明体３の裏面側に重ね合わされる配置でかつ周縁部が前記挿入溝２０１内に挿入される配置で前記枠体２内に支持される、筒状に変形自在又は折り畳み自在とした裏板４と、を具備したフレームにおいて、前記枠体２を、縦方向及び／又は横方向の中央部分近傍で複数の枠体部５ａ、５ｂ、６ａ、６ｂに分離可能にするとともに、この複数の枠体部５ａ、５ｂ、６ａ、６ｂを連結手段７によって連結した。【選択図】図１
0003121624.tif 000002
【実用新案登録請求の範囲】
【請求項１】
略四角形状に枠組みして形成されるとともに、その内周側全域に挿入溝（２０１）が形成された枠体（２）と、
周縁部が前記挿入溝（２０１）内に挿入される配置で前記枠体（２）内に支持される、筒状に変形自在又は折り畳み自在とした透明体（３）と、
該透明体（３）の裏面側に重ね合わされる配置でかつ周縁部が前記挿入溝（２０１）内に挿入される配置で前記枠体（２）内に支持される、筒状に変形自在又は折り畳み自在とした裏板（４）と、を具備したフレームにおいて、
前記枠体（２）を、縦方向又は横方向の中央部分近傍で複数の枠体部（５ａ、５ｂ、６ａ、６ｂ）に分離可能にするとともに、前記複数の枠体部（５ａ、５ｂ、６ａ、６ｂ）を連結手段（７）によって分離可能に連結した、ことを特徴とするフレーム。
【請求項２】
略四角形状に枠組みして形成するとともに、その内周側全域に挿入溝（２０１）が形成された枠体（２）と、
周縁部が前記挿入溝（２０１）内に挿入される配置で前記枠体（２）内に支持される、筒状に変形自在又は折り畳み自在とした透明体（３）と、
該透明体（３）の裏面側に重ね合わされる配置でかつ周縁部が前記挿入溝（２０１）内に挿入される配置で前記枠体（２）内に支持される、筒状に変形自在又は折り畳み自在とした裏板（４）と、を具備したフレームにおいて、
前記枠体（２）を、縦方向及び横方向の中央部分近傍で複数の枠体部（５ａ、５ｂ、６ａ、６ｂ）に分離可能にするとともに、前記複数の枠体部（５ａ、５ｂ、６ａ、６ｂ）を連結手段（７）によって分離可能に連結した、ことを特徴とするフレーム。
【請求項３】
前記複数の枠体部（５ａ、５ｂ、６ａ、６ｂ）を、枠体（２）の裏側面でネジ（７）により連結した、ことを特徴とするフレーム。
【考案の詳細な説明】
【技術分野】
【０００１】
本考案はフレームに係り、より詳しくは、組み立て及び分解自在にしたフレームに関する。
【背景技術】
【０００２】
一般的に、写真、絵画等を壁等に飾る場合に用いるフレームは、四角形状に枠組みすることにより構成された枠体と、この枠体の内周側に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
そして、この従来から一般的に提供されているフレームでは、枠体の内周側に透明体及び裏板を装着した状態で提供されており、そのため、全体が大きくなってしまい、販売店で購入して自宅等へ持ち帰る際に嵩張ってしまうという問題点がある。
【０００４】
また、従来から提供されているフレームでは、完成された状態で提供されているために、使用者は、単に透明体と裏板との間に写真、絵画等を挟み込む作業のみしかできず、面白みに欠けるものであった。
【考案の開示】
【考案が解決しようとする課題】
【０００５】
そこで、本考案は、持ち運びの際に嵩張ることがないとともに、分解及び組み立て自在にすることにより使用者において組み立てを可能にして、これにより面白みを増したフレームを提供することを課題としている。
【課題を解決するための手段】
【０００６】
請求項１に記載の本考案のフレームは、略四角形状に枠組みして形成するとともに、その内周側全域に挿入溝が形成された枠体と、
周縁部が前記挿入溝内に挿入される配置で前記枠体内に支持される、筒状に変形自在又は折り畳み自在とした透明体と、
該透明体の裏面側に重ね合わされる配置でかつ周縁部が前記挿入溝内に挿入される配置で前記枠体内に支持される、筒状に変形自在又は折り畳み自在とした裏板と、を具備したフレームにおいて、
前記枠体を、縦方向又は横方向の中央部分近傍で複数の枠体部に分離可能にするとともに、前記複数の枠体部を連結手段によって分離可能に連結した、ことを特徴としている。
【０００７】
また、請求項２に記載の本考案のフレームは、略四角形状に枠組みして形成するとともに、その内周側全域に挿入溝が形成された枠体と、
周縁部が前記挿入溝内に挿入される配置で前記枠体内に支持される、筒状に変形自在又は折り畳み自在とした透明体と、
該透明体の裏面側に重ね合わされる配置でかつ周縁部が前記挿入溝内に挿入される配置で前記枠体内に支持される、筒状に変形自在又は折り畳み自在とした裏板と、を具備したフレームにおいて、
前記枠体を、縦方向及び横方向の中央部分近傍で複数の枠体部に分離可能にするとともに、前記複数の枠体部を連結手段によって分離可能に連結した、ことを特徴としている。
【考案の効果】
【０００８】
本考案のフレームでは、略四角形状に枠組みされた枠体を、縦方向又は／及び横方向の中央部分近傍で複数の枠体部に分離可能にするとともに、それぞれの枠体部をネジ等の連結手段により分離可能に連結しているため、枠体を分離することにより、略四角形状の枠体を小さくすることができる。
【０００９】
また、本考案のフレームでは、透明体及び裏板を、筒状に変形自在又は折り畳み自在としており、これにより、枠体を小さくするとともに透明体及び裏板を筒状に変形させ又は折り畳むことでフレームの全体をコンパクトにまとめることができ、持ち運びに際して嵩張ることが無くなる。
【００１０】
更に、例えば、自宅等に持ち帰った後に、枠体を枠組みするとともにこの枠体の内周側に透明体及び裏板を係止してフレームを組み立てる楽しみもでき、面白みを増すこともできる。
【考案を実施するための最良の形態】
【００１１】
本考案のフレームでは、略四角形状に枠組みされるとともに、その内周側全域に挿入溝が形成された枠体を有している。そして、この枠体は、縦方向及び横方向の中央部分近傍で４個の枠体部に分離可能にしており、これらの４個の枠体部は、連結手段によって分離可能に連結し、分離することにより枠体を１／４の大きさにすることを可能としている。
【００１２】
また、本考案のフレームでは、枠体の内周側全域に挿入溝が形成されているとともに、この挿入溝内に周縁部が挿入される配置で前記枠体内に支持される透明体と、この透明体の裏面側に重ね合わされる配置で、かつ、その周縁部が枠体の挿入溝内に挿入される配置で前記枠体内に支持される裏板を有しており、透明体及び裏板はともに、筒状に変形自在又は折り畳み自在とし、これにより、例えば透明体及び裏板を筒状に丸めることによりコンパクトにすることを可能としている。
【００１３】
ここで、前記枠体を構成する一方側枠体部と他方側枠体部を連結するに際しては、枠体の裏側面において、一方側枠体部と他方側枠体部をネジにより連結するとよく、これにより、容易に組み立て及び分離が可能である。
【実施例１】
【００１４】
本考案のフレームの実施例について図面を参照して説明すると、図１は本実施例のフレームを正面側から示した斜視図であり、また、図３は本実施例のフレームの実施例を背面側から示した斜視図であり、更に図２は図１におけるＡ−Ａ線端面図である。
【００１５】
そして、図において１が本実施例のフレームであり、本実施例のフレーム１では、四角形状とした枠体を備えており、この枠体２は、その内周側全域に挿入溝２０１を有している。
【００１６】
即ち、図において２が枠体であり、本実施例においてこの枠体２は、枠体２の上部の横枠を構成する上部横材２０２ａと、枠体２の下部の横枠を構成する下部横材２０２ｂと、これらの横材２０２ａ、２０２ｂをその長手方向の両端部においてそれぞれ連通した縦材２０３を有しており、縦材２０３は長尺としており、これにより、枠体２は全体として四角形状としている。
【００１７】
ここで、図２は、図１におけるＡ−Ａ線断面図であり、本実施例において前記横材２０２ａ、２０２ｂ及び縦材２０３はそれぞれ、長手方向に向いた断面形状を略コ字状としており、枠体２を枠組みするに際しては、それぞれの開口部分が枠体２の内側に向くようにしている。そして、これにより、前記枠体２は、内周側全域に挿入溝２０１が形成するようにしている。
【００１８】
また、本実施例のフレーム１では透明体を備えており、即ち、図１及び図２において３が透明体である。そして、本実施例においてこの透明体３は、ビニール等の透明素材で形成するとともに、円筒状にまるめ、あるいは小さく折り畳むことを可能としており、広げた状態において前記挿入溝２０１内に周縁部を挿入することで前記枠体２の内周側に支持可能とし、更に、筒状に丸め、あるいは小さく折り畳むことによりコンパクトにすることを可能にしている。
【００１９】
更に、本実施例のフレーム１では、前記透明体３とほぼ同一の外形寸法にするとともに、透明体３と同様に、円筒状に丸め、あるいは小さく折り畳むことを可能な素材により形成した裏板を備えている。即ち、図２において４が裏板あり、この裏板４は、前記透明体３の裏面側に重ね合わせつつ、その周縁部を前記挿入溝２０１内に挿入することで前記枠体２の内周側に支持可能として、また、透明体３と同様に、筒状に丸め、あるいは小さく折り畳むことによりコンパクトにすることを可能にしている。
【００２０】
次に、図４は前記枠体２を分解した状態を示す斜視図であり、本実施例において前記枠体２は、縦方向及び横方向の中央部分近傍で複数の枠体部に分離可能にしている。
【００２１】
即ち、本実施例における枠体２は、まず、これを構成する一対の縦材２０３のそれぞれにおける長手方向に向いた中央部分で切断しており、これにより、前記上部横材２０２ａとこの上部横材２０２ａの両端部に連設された一対の縦材２０３の上半分部分で構成された上部枠体部５と、前記下部横材２０２ｂとこの下部横材２０２ｂの両端部に連設された一対の縦材２０３の下半分部分で構成された下部枠体部６とに分離可能にしている。
【００２２】
また、前記上部枠体部５と下部枠体部６はそれぞれ、横材２０２ａ、２０２ｂのそれぞれにおける長手方向の中央部分で切断しており、これにより、左側上部枠体部５ａ及び右側上部枠体部５ｂと、左側下部枠体部６ａ及び右側下部枠体部６ｂとに分離可能としている。
【００２３】
このように、本実施例における枠体２は、４個の枠体部に分離可能としているために、枠体２を上部枠体部５と下部枠体部６とに分離するとともに、上部枠体部５を左側上部枠体部５ａと右側上部枠体部５ｂに分離し、下部枠体部６を左側下部枠体部６ａと右側下部枠体部６ｂに分離することで、前記枠体２を四分割して、１／４まで小さくすることができ、持ち運びに際して嵩張ることを防止して持ち運びを容易にしている。
【００２４】
ここで、図３、４において７はネジであり、本実施例のフレーム１では、図３に示すように、枠体２の裏面において、前記複数の枠体部５ａ、５ｂ、６ａ、６ｂをネジ７により連結している。
【００２５】
この連結の方法について説明すると、本実施例においては、両端側にネジ孔を有する連結用プレート８を用いており、複数の枠体部５ａ、５ｂ、６ａ、６ｂで枠体２を枠組みした状態で、前記連結用プレート８を、ネジ孔の部分のそれぞれが互いに連結される枠体部のそれぞれの裏面側に位置するようにして互いに連結される枠体部に架け渡し、その後に、ネジ孔を貫通させつつ、ネジ７を枠体部の裏側面に螺合し、これにより枠体部を連結している。
【００２６】
このように、本実施例のフレーム１では、連結用プレート８とネジ７を用いることで、複数の枠体部で四角形状の枠体２を枠組み可能とし、また、ネジ７を外すことにより枠体２を複数の枠体部に分離可能としているため、特に面倒な作業を経ることなく枠体の組み立て及び解体ができ、持ち運びに際して嵩張ることを防止できるとともに、自宅等に持ち帰った後に組み立てる楽しみも維持することができる。
【００２７】
次に、このように構成される本実施例のフレームの作用について説明すると、本実施例のフレームを組み立てる場合には、前述したように、連結用プレート８とネジ７を用いて、４個の枠体部５ａ、５ｂ、６ａ、６ｂで四角形状の枠体２を枠組みし、次に、透明体３と裏板４とを、重ね合わせた状態で、その周縁部を挿入溝２１内に挿入し、これにより枠体２の内周側に透明体３及び裏板４とを支持する。
【００２８】
そうすると、これによりフレーム１が完成し、透明体３及び裏板４間に写真、絵画等を挟み込むとともに、この写真、絵画等を挟み込んだ状態の枠体２を壁等に飾ることで、写真、絵画等を所望する箇所に飾ることが可能である。
【００２９】
一方、ネジ７を外して連結用プレート８を取り外し、これにより枠体２を４個の枠体部５ａ、５ｂ、６ａ、６ｂに分離し、更に、透明体３及び裏板４を筒状に丸めると、フレーム１の全体をコンパクトにまとめることができ、持ち運びを容易にすることができる。
【００３０】
このように、本実施例のフレーム１では、枠体２を分離可能にしているとともに透明体と裏板を筒状に丸めることを可能にしているため、コンパクトにまとめることで持ち運びを容易にすることができるとともに、組み立てる楽しみを有した面白みのあるフレームにすることが可能である。
【００３１】
なお、前述の実施例では、ネジにより枠体部を連結する方法を説明したが、必ずしもネジにより連結する必要はなく、その他の方法によって連結可能にしてもよい。
【００３２】
また、前述の実施例では、枠体２を上部枠体部５と下部枠体部６とに分離するとともに、この上部枠体部５と下部枠体部６とをそれぞれ、右側上部枠体部５ａ、左側上部枠体部５ｂ、右側下部枠体部６ａ、左側下部枠体部６ｂとに分離して四分割可能にした場合を説明したが、必ずしも四分割にする必要はなく、上部枠体部５と下部枠体部６、あるいは、右側枠体部と左側枠体部の二分割としてもよい。
【産業上の利用可能性】
【００３３】
本考案のフレームでは、分解することでコンパクトにすることができるとともに、組み立てる楽しみを有しているため、分解可能としたフレームの全般に適用可能である。
【図面の簡単な説明】
【００３４】
【図１】本考案のフレームの実施例を正面側から示した斜視図である。
【図２】図１におけるＡ−Ａ線断面図である。
【図３】本考案のフレームの実施例を背面側から示した斜視図である。
【図４】本考案のフレームの実施例における枠体の分解斜視図である。
【符号の説明】
【００３５】
１    フレーム
２    枠体
２０１    挿入溝
２０２ａ    上部横材
２０２ｂ    下部横材
２０３    縦材
３    透明体
４    裏板
５    上部枠体部
５ａ    右側上部枠体部
５ｂ    左側上部枠体部
６    下部枠体部
６ａ    右側下部枠体部
６ｂ    左側下部枠体部
７    ネジ
８    連結用プレート
【図１】
0003121624.tif 000003
【図２】
0003121624.tif 000004
【図３】
0003121624.tif 000005
【図４】
0003121624.tif 000006
【手続補正書】
【提出日】平成18年3月3日(2006.3.3)
【手続補正１】
【補正対象書類名】実用新案登録請求の範囲
【補正対象項目名】請求項３
【補正方法】変更
【補正の内容】
【請求項３】
前記複数の枠体部（５ａ、５ｂ、６ａ、６ｂ）を、枠体（２）の裏側面でネジ（７）により連結したことを特徴とする請求項１又は請求項２に記載のフレーム。